(57)【特許請求の範囲】
【請求項１】
敷居レールに支承され、且つ開口部が下方に開口するＣ型チャンネルからなる鴨居レールにガイドされて走行する引戸において、Ｃ型チャンネルの開口部の開口幅よりも小さい幅を有し且つ該開口幅よりも大きい長さを有する細長頭部をガイドピンの頂部に水平に設け、該ガイドピンの下部を引戸の頂面に回動自在に立設し、該細長頭部が上記開口部に跨るよう該細長頭部を鴨居レール内に挿入回動した引戸の脱線防止構造であり、上記ガイドピンの外周面であって上記細長頭部の下部に、半径方向に膨出する多角形のナット部を形成したものであって、上記ナット部の外周の一面に近接して対向自在に出没する規制板を引戸の頂面に設け、上記細長頭部を上記開口部に跨るように鴨居レール内に挿入回動した状態で、該規制板をナット部の外周の一面に突出対向するとともに、該規制板で該ガイドピンの回動を解除自在に抑止したことを特徴とする引戸の脱線防止構造。
【請求項２】
上記規制板と引戸との間に、該規制板がナット部の外周の一面に常時対向するよう該規制板を上方に押し上げる付勢体を設けたことを特徴とする請求項１記載の引戸の脱線防止構造。
【発明の詳細な説明】
【技術分野】
【０００１】
本願発明は、間仕切扉、収納扉、および家具扉等に用いられる引戸の脱線防止構造に関するものである。
【背景技術】
【０００２】
従来引戸、特に木製の引戸は上部が鴨居に設けた溝に位置し、下部は敷居に設けた溝に戸車を設けあるいは設けることなく、嵌めこまれて立設している。すなわち敷居溝あるいは敷居に設けられたレールに支承されて立設している。そのために建込み作業が困難な場合があり、又建込んだ後に脱線することがしばしば生じるものであった。
【０００３】
すなわち引戸を立込みあるいは走行するときに方立や隣接する引戸と接触する場合があり、方立や引戸を傷付けることがあった。このような状態を避けるために、引戸と方立、あるいは引戸と引戸の間隔を大きくとって建付ける方法があるがこれでは気密性が低下し美観を損ねるものであった。
【０００４】
このような状態を回避するものとして引戸に反りが生じた場合、方立や隣接する引戸との接触を避ける手段を有する引戸、特に引戸に幅方向の反りがあっても開け閉めがスムースに行える引戸構造として従来特開平９−４１７８４号公報に開示された引戸構造が提案されている。
【０００５】
この従来の引戸構造は、戸上面に引戸溝を設け、引戸における支持部の位置を引戸の厚み方向に変えることができるレール支持材を引戸溝に埋め込むものである
【特許文献１】特開平９−４１７８４号公報
【発明の開示】
【発明が解決しようとする課題】
【０００６】
しかしながら、上記従来例である引戸構造は引戸に反りが生じた場合の問題点を解決するものであり、これに対し本願発明は引戸の脱線防止構造に関するものであり、その目的は、引戸の脱線を防止し、引戸の走行を容易にした引戸の脱線防止構造を提供するものである。
【課題を解決するための手段】
【０００７】
上記課題を解決するために、本願請求項１記載の発明に係る引戸の脱線防止構造は敷居レールに支承され、且つ開口部が下方に開口するＣ型チャンネルからなる鴨居レールにガイドされて走行する引戸において、Ｃ型チャンネルの開口部の開口幅よりも小さい幅を有し且つ該開口幅よりも大きい長さを有する細長頭部をガイドピンの頂部に水平に設け、該ガイドピンの下部を引戸の頂面に回動自在に立設し、該細長頭部が上記開口部に跨るよう該細長頭部を鴨居レール内に挿入回動したことを特徴としている。
【０００８】
本願請求項１記載の発明は、上記の引戸の脱線防止構造において、上記ガイドピンの外周面であって上記細長頭部の下部に、半径方向に膨出する多角形のナット部を形成したことを特徴としている。
【０００９】
本願請求項１記載の発明は、上記の引戸の脱線防止構造において、上記ナット部の外周の一面に近接して対向自在に出没する規制板を引戸の頂面に設け、上記細長頭部を上記開口部に跨るように鴨居レール内に挿入回動した状態で、該規制板をナット部の外周の一面に突出対向するとともに、該規制板で該ガイドピンの回動を解除自在に抑止したことを特徴としている。
【００１０】
本願請求項２記載の発明は、上記請求項１記載の引戸の脱線防止構造において、上記規制板と引戸との間に、該規制板がナット部の外周の一面に常時対向するよう該規制板を上方に押し上げる付勢体を設けたことを特徴としている。
【発明の効果】
【００１１】
本願請求項１記載の発明に係る引戸の脱線防止構造は、上記のとおりであり、特に、引戸を鴨居レールに立て込むとき、細長頭部を引戸の頂面内に位置させておくことにより、細長頭部を円滑に鴨居レール内に挿入できる。従って細長頭部が存在していても建込作業を円滑に行える。
【００１２】
又、引戸の頂面に細長頭部を回動自在に立設しているから、引戸を建込後にはガイドピンを回動して細長頭部をＣ型チャンネルの開口部に容易に跨らせることができる。したがって引戸を立て込んだ後には引戸が脱線しにくいものである。
【００１３】
本願請求項１記載の発明に係る引戸の脱線防止構造は、上記のとおりであり、特に、上記ガイドピンの外周面であって上記細長頭部の下部に、半径方向に膨出する多角形のナット部を形成しているから、引戸の建込を行う者は手であるいはスパナでガイドピンのナット部を保持しやすく、従ってガイドピンの回動作業が容易となる。その結果、引戸の鴨居レールへの建込作業を短時間で効率よく行うことができる。
【００１４】
また、多角形のナット部がガイドピンに対し半径方向に膨出した多角形であるから、ガイドピンの回動時に、より一層ナット部を保持しやすいものである。又、多角形のナット部が４角形の場合、細長頭部を鴨居レール内に挿入した後にガイドピンを９０度回動する作業が容易となる。
【００１５】
本願請求項１記載の発明に係る引戸の脱線防止構造は、上記のとおりであり、特に、上記ナット分の外周の一面に近接して対向自在に出没する規制板を引戸の頂面に設け、上記細長頭部を上記開口部に跨るように鴨居レール内に挿入回動した状態で、該規制板をナット部の外周の一面に突出対向させるとともに、該規制板で該ガイドピンの回動を解除自在に抑止するようにしているから、引戸の鴨居レールの建込後にガイドピンの不用意な回動を確実に抑止できる。従って、確実に引戸の脱線を防ぐことができる。
【００１６】
又、引戸の建込前の運送時においても細長頭部を引戸の幅内に位置するよう抑止できる。従って引戸の輸送時の梱包が嵩張ることがなく、又細長頭部の損傷も起こりにくいものである。
【００１７】
本願請求項２記載の発明に係る引戸の脱線防止構造は、上記のとおりであり、特に、上記規制板と引戸との間に、該規制板がナット部の外周の一面に常時対向するよう該規制板を上方に押し上げる付勢体を設けたものであり、付勢体によってガイドピンのナット部は常時その回動を規制されることになり、ガイドピンが不用意に回動することがない。
【００１８】
さらにガイドピンを回動するときには、付勢体に抗して規制板を押し下げるだけで、ガイドピンの回動規制が簡単に解除される。従って引き戸の取外しも容易にできる。
【発明を実施するための最良の形態】
【００１９】
以下、本願発明の引戸の脱線防止構造について図面を参照して詳細に説明する。図１は本願発明に係る第一の実施の形態での引戸の立設状態の概要を示す斜視図、図２は図１のＸ−Ｘ線断面における鴨居レールと引戸との関係を示す一部断面図、図３は図２における鴨居レールを除去したときの引戸上部を示す部分拡大斜視図、図４は図３のＹ−Ｙ線断面における引戸上部を示す部分拡大断面図である。
【００２０】
図１に示すように引戸３は敷居レール１と鴨居レール２の間に立設されており、引戸３は敷居レール１に支承されている。鴨居レール２は開口部が下方に開口するように取付けられたＣ型チャンネルであり、引戸３は鴨居レール２にガイドされかつ敷居レール１に支承されて走行するものである。
【００２１】
図２ないし図４に示すように、Ｃ型チャンネルからなる鴨居レール２の開口部２１内にガイドピン５に設けた細長頭部４が該開口部２１に跨るように位置している。細長頭部４はガイドピン５の頂部に水平に設けられており、ガイドピン５の下部は引戸の３の頂面３１に回動自在に立設されている。そのために細長頭部４は鴨居レール２内に挿入回動することができる。
【００２２】
細長頭部４の形状は略長方形であり、その細長頭部４の幅Ｂは鴨居レール２の開口部２１の開口幅Ａよりも小さく、かつその長辺即ち細長頭部４の長さＣは鴨居レール２の開口部２１の開口幅Ａよりも大きく、その角部は回動が容易となるように角欠きあるいは円弧状に形成されている。そのために細長頭部４を鴨居レール２内に挿入し回動することで細長頭部４は鴨居レール２の開口部２１に跨るようになる。
【００２３】
細長頭部４の形状は上記のとおりであり、引戸３を鴨居レール２に建て込むとき、細長頭部４が引戸３の頂面３１内に位置するようその長辺を引戸３の頂面３１の長さ方向に平行に位置させておくことにより、細長頭部４を鴨居レール２内に円滑に挿入できる。従って、細長頭部４が存在していても建込作業は円滑に行える。
【００２４】
引戸３の建込後にはガイドピン５を回動して細長頭部４を鴨居レール２の開口部２１に容易に跨らせることができる。従って、引戸３を建込んだ後、引戸３は脱線しにくいものとなる。
【００２５】
細長頭部４を有するガイドピン５は引戸３の頂面３１の左右両端部の近傍の各々に設けられており引戸３が円滑に開閉される。又ガイドピン５の下部は引戸３の頂面３１に植設された軸受け８に支承されている。
【００２６】
引戸３の重量は敷居レール１が支えているが、細長頭部４の両端部にローラ（図示せず）を設けて、このローラを鴨居レール２の内面に接触回動させてもよい。又ガイドピン５の回動に摩擦抵抗を加え、ガイドピン５の回動角度の位置決めをした後にはガイドピン５に弱い外力（トルク）が作用した場合でも、ガイドピン５が不用意に回動しないようにすることもできる。
【００２７】
又、ガイドピン５の外周面であって上記細長頭部４の下部に、半径方向に膨出する多角形のナット部５１が形成されている。該ナット部５１を引戸３の建込者が手であるいはスパナ等を用いて把持し易くなっており、従って、ガイドピン５の回動作業が容易となり、引戸３の鴨居レール２への建込作業を短時間で効率よく行うことができる。更に、ガイドピン５のナット部５１が４角形の場合、細長頭部４を鴨居レール２内に挿入した後にガイドピン５を９０度回動することで、細長頭部４が鴨居レール２の開口部２１跨るので作業が容易なものになる。
【００２８】
ガイドピン５のナット部５１は４角形に限らず三角形から八角形までのいずれの形状でもよい。また、ガイドピン５のナット部５１をガイドピン５に対し半径方向に膨出した多角形としているからガイドピン５の回動時に、より一層ガイドピン５のナット部５１を保持しやすくなるものである。
【００２９】
上記ナット部５１の外周の一面に近接して対向自在に出没する規制板６が引戸３の頂面３１に設けられている。細長頭部４を鴨居レール２の開口部２１に跨るように鴨居レール２内に挿入回動した状態で、規制板６をナット部５１の外周の一面に突出対向させるとともに、該規制板６でガイドピン５の回動を解除自在に抑止したものである。従って、引戸３の鴨居レール２への建込後にガイドピン５の不用意な回動を確実に抑止でき、引戸３の脱線を確実に防ぐことができる。
【００３０】
又、引戸３の建込前の運送時においても細長頭部４を引戸３の幅内に位置するように抑止でき、引戸３の輸送時の梱包が嵩張らず、又細長頭部４の損傷も起こりにくいものである。さらに規制板６の上下動作に摩擦抵抗を加え、規制板６の上端位置と下端位置とで規制板６が確実に該摩擦力によって安定停止するようにしてもよい。このとき規制板６の上下動は摩擦抵抗に抗して手動またはマイナスドライバー等の冶具を使用して半強制的に行うものである。
【００３１】
さらに、図２、図４に示すように、規制板６と引戸３との間に、規制板６がナット部５１の外周の一面に常時対向するように規制板６を上方に押し上げる付勢体７が設けられている。従って、ガイドピン５のナット部５１は常時その回動を該規制板６によって規制されることになり、ガイドピン５が不用意に回動することがなくなり、ガイドピン５を回動するときには付勢体７に抗して規制板６を押し下げるだけで、ガイドピン５の回動規制を簡単に解除できる。ガイドピン５を回動するときには規制板６を押し下げた状態に保持して置けばよい。ガイドピン５のナット部５１と引戸３の頂面３１には、一定の間隔Ｄが形成されており、規制板６が引戸３の頂面３１に多少突出した状態で押し下げられる場合でも、規制板６がナット部５１の回動を邪魔しないようにしている。
【００３２】
規制板６の形状は図４に示されているようなＬ字型に限定されず、例えば規制板６の下端部を二股形状にして付勢体７の上端を支承してもよく、又、付勢体７を圧縮コイルばねに代えてゴム等の弾性体を用いることができ、さらには付勢体７を磁石体とし、規制板６の下端部に反発磁石体を設けても同様の効果を得ることができる。
【００３３】
以上に説明したように、本願発明の引戸の脱線防止構造の最大の特徴は鴨居レール２内に細長頭部４を挿入回動することで、細長頭部が鴨居レール２の開口部２１に跨るようにし、引戸３の脱線を防止し、引戸３の脱線による方立や隣接する引戸等の破損を防止するものである。
【図面の簡単な説明】
【００３４】
【図１】本願発明に係る第一の実施の形態での引戸の立設状態の概要を示す斜視図である。
【図２】図１のＸ−Ｘ線断面における鴨居レールと引戸との関係を示す一部断面図である。
【図３】図２における鴨居レールを除去したときの引戸上部を示す部分拡大斜視図である。
【図４】図３のＹ−Ｙ線断面における引戸上部を示す部分拡大断面図である。
【符号の説明】
【００３５】
１      敷居レール
２      鴨居レール
２１    鴨居レールの開口部
３      引戸
３１    引戸の頂面
４      細長頭部
５      ガイドピン
５１    ガイドピンのナット部
６      規制板
７      付勢体
８      ガイドピンの軸受け
Ａ      鴨居レールの開口部の開口幅
Ｂ      細長頭部の幅
Ｃ      細長頭部の長さ
Ｄ      ナット部と引戸の頂面との間隔
【図１】
0004867910.tif 000002
【図２】
0004867910.tif 000003
【図３】
0004867910.tif 000004
【図４】
0004867910.tif 000005